(57)【要約】【課題】育成媒体として土砂を使用することなしに、また熟練した技術と多くの作業時間を必要とすることなしに、芝等の植物を容易に育成することができる植物育成マット、植物育成マットの製造方法、植物育成セット及び植物育成方法を提供する。【解決手段】植物の種子を分散状態で担持すると共に接水により溶解して該種子を離脱させる水溶性播種層３３と、播種層３３の下方に配置され、播種層３３から離脱した種子を着床させると共に着床した種子から生じた根を保持しつつ肥料及び土壌有用菌の存在下に通根伸張させる保水性育成媒体層３４と、前記播種層３３及び育成媒体層３４から構成される育成積層体３１の少なくとも上面及び各側面に当接状態で被覆され、最初の給水時まで前記育成積層体３１を一体化状態に保持する保水性被覆層３２とから構成される。【選択図】        図１
2004194524.tif 000002
【特許請求の範囲】
【請求項１】
（１）植物の種子を分散状態で担持すると共に接水により溶解して該種子を離脱させる水溶性播種層と、播種層の下方に配置され、播種層から離脱した種子を着床させると共に着床した種子から生じた根を保持しつつ肥料及び土壌有用菌の存在下に通根伸張させる保水性育成媒体層とからなる育成積層体と、（２）前記育成積層体の少なくとも上面及び各側面に当接状態で被覆され、それによって、最初の給水時まで前記育成積層体を一体化状態に保持し、頂部上面への最初の給水により保水しつつ播種層に接水させて育成媒体層への種子の着床を可能にし、且つ着床した種子から生じた芽に表面抵抗を及ぼしつつ上方への貫通を許容する保水性被覆層とからなる植物育成マット。
【請求項２】
接水により吸水且つ保水すると共に、着床した種子から生じた芽に土壌有用菌の存在下に表面抵抗を及ぼしつつ上方への貫通を許容する多孔質粒状セラミック層が育成積層体の構成層として被覆層頂部と播種層との間に介設された、請求項１に記載の植物育成マット。
【請求項３】
播種層が、水溶性シートに種子を担持させてなる、請求項１又は２に記載の植物育成マット。
【請求項４】
育成媒体層が、内部に肥料及び土壌有用菌を含む、請求項１又は２に記載の植物育成マット。
【請求項５】
育成媒体層が、播種層から離脱した種子を着床させると共に発根直後の根を保持しつつ通過させる上部育成層と、上部育成層の下方に配置され、内部に肥料及び土壌有用菌を含む粒状肥料層と、肥料層の下方に配置され、上部育成層を通過した根を保持しつつ肥料層からの肥料及び土壌有用菌の存在下に通根伸張させる、上部育成層より厚い下部育成層とからなる、請求項１、２又は４に記載の植物育成マット。
【請求項６】
上部育成層及び下部育成層が何れも繊維状シートからなる、請求項５に記載の植物育成マット。
【請求項７】
肥料層が、肥料成分、土壌有用菌及び保水性の生分解性繊維材を混合してなる、請求項５に記載の植物育成マット。
【請求項８】
被覆層が、育成積層体の上面、各側面及び下面に当接状態で被覆された、請求項１又は２に記載の植物育成マット。
【請求項９】
被覆層が、保水性の生分解性繊維材からなる、請求項１、２又は８に記載の植物育成マット。
【請求項１０】
請求項１〜９の何れかに記載の植物育成マットの製造方法であり、平坦面上に被覆層をその下面を上にして敷き広げる工程と、敷き広げられた被覆層の上に所定大きさのフレームを載置する工程と、載置されたフレームの中の被覆層上に育成積層体の各構成層を上下逆の層順位にし且つ各下面を上にして順次積層する工程と、上下逆の層順位で積層構成された育成積層体を被覆層上に残してフレームを上方に引き抜く工程と、敷き広げられた被覆層を育成積層体の各側面及び下面に沿って包み込むと共にその終端部を育成積層体の下面に及び／又は下面上で接着させる工程とからなる植物育成マットの製造方法。
【請求項１１】
請求項１〜９の何れかに記載の植物育成マットと、前記植物育成マットを下方への排水可能に支持する支持台及び該支持台を床面上にそれとの間に間隙を保持して配置する脚部を備えた基台とからなる植物育成セット。
【請求項１２】
請求項１１に記載の基台を床面上の所定位置に設置する工程と、設置された基台上に、請求項１〜９の何れかに記載の植物育成マットを配置する工程と、配置された植物育成マットの被覆層頂部上面から給水して播種層からの種子の離脱及び育成媒体層への種子の着床を開始させる工程とを含む植物育成方法。
【発明の詳細な説明】
【０００１】
【産業上の利用分野】
本発明は、ビル等の建築物の屋上や庭等のコンクリート面等を緑化するために使用され、或いは個人が趣味として自宅等で芝等の植物を種子から育成する場合にも好適に使用される植物育成マット、植物育成マットの製造方法、植物育成セット及び植物育成方法に関する。
【０００２】
【従来の技術】
地球温暖化を防止し、ヒートアイランド現象を抑制するために、建築物の屋上や庭等のコンクリート面やアスファルト面を芝等の植物で緑化することが推奨されている。
【０００３】
植物によるコンクリート面等の緑化は、植物の炭素固定作用による大気中の二酸化炭素の吸収効果、植物の葉面における蒸散作用による冷却効果を奏して前記のような地球温暖化の防止やヒートアイランド現象の抑制に資するものであるが、さらに植物の窒素酸化物や硫黄酸化物の吸収作用による大気浄化効果、植物の断熱作用による建物内部の温度変化の緩和効果や建物外面からの輻射熱の緩和効果、美観の向上に伴う癒し効果等も派生させるものである。
【０００４】
屋上等のコンクリート面の緑化方法としては、育成媒体として土砂を使用して芝等の植物を育成する方法が従来行われているが、土砂の使用には、緑化に係る単位面積当たりの重量が大きく、緑化面積が大きくなると建築物に強度上の悪影響を及ぼすこと、コンクリートやその上に施された防水塗膜が土砂との摩擦で破損し易いこと、土砂が屋上等の排水口より下水道に流れ込み、二次障害を起こし易いこと等の問題があった。
【０００５】
一方、土砂の使用なしに植物を育成する方法として、例えば特開平０４−１４４６１１号公報には、植物の種子を植生する植物植生層と、植物植生層の下に配置され、通根、根の保持と保護機能を奏する保護層と、保護層の下に配置され、過剰な雨水等を排水すると共に全体を支持する排水層とからなり、さらに必要に応じて、植物植生層の上に配置され、上方からの荷重を均等分布させると共に風や台風に対して保護する合成樹脂製網状体と、排水層の下に配置され、止水性能及び植物の根切り性能を奏する合成樹脂製シートとを前記構成に付加してなる植物植生用層状構造体が開示されている。
【０００６】
前記従来技術に係る植物植生用層状構造体は、緑化施工の現場で、コンクリート面上に各層を順次積層重合させて構成される。種子の播種に際しては、積層された後の植物植生層に直接、或いはその上の合成樹脂製網状体を介して間接的に種子が播かれるか、或いは別の場所で予め種子を播き発芽させた後の植物植生層が前記のように積層重合されることになる。
【０００７】
しかしながら、緑化施工の現場で前記のように植物植生用層状構造体を構築し、また緑化施工の現場で植物植生層に種子を均一に播くには熟練した技術と多くの作業時間を必要とする。また、別の場所で予め種子が播かれた植物植生層を使用することも考えられるが、その場合は、植物植生層の移動運搬時や積層作業時等に種子が植物植生層から一部離脱し、或いは植物植生層上を変位し易く、それによって種子が植物植生層上に不均一に偏在してしまう等の問題が生じる。また、別の場所で予め種子を播き発芽させた後の植物植生層を使用する場合は、緑化施工における着床、発芽を開始させる工程が外部の別の場所で行われるので、緑化施工の日程が、使用する前記植物植生層上における種子の発芽状態や発根状態に左右されることになる等の問題が生じる。
【０００８】
【発明が解決しようとする課題】
本発明の解決すべき課題は、育成媒体として土砂を使用することなしに、また熟練した技術と多くの作業時間を必要とすることなしに、芝等の植物を容易に育成することができる植物育成マット、植物育成マットの製造方法、植物育成セット及び植物育成方法を提供することにある。
【０００９】
【課題を解決するための手段】
本発明に係る植物育成マットは、（１）植物の種子を分散状態で担持すると共に接水により溶解して該種子を離脱させる水溶性播種層と、播種層の下方に配置され、播種層から離脱した種子を着床させると共に着床した種子から生じた根を保持しつつ肥料及び土壌有用菌の存在下に通根伸張させる保水性育成媒体層とからなる育成積層体と、（２）前記育成積層体の少なくとも上面及び各側面に当接状態で被覆され、それによって、最初の給水時まで前記育成積層体を一体化状態に保持し、頂部上面への最初の給水により保水しつつ播種層に接水させて育成媒体層への種子の着床を可能にし、且つ着床した種子から生じた芽に表面抵抗を及ぼしつつ上方への貫通を許容する保水性被覆層とからなるものである。
【００１０】
前記構成の植物育成マットを改良する態様として、接水により吸水且つ保水すると共に、着床した種子から生じた芽に土壌有用菌の存在下に表面抵抗を及ぼしつつ上方への貫通を許容する多孔質粒状セラミック層が育成積層体の構成層として被覆層頂部と播種層との間に介設されてもよい。前記多孔質粒状セラミック層として、例えば、硬質セラミック微粒子の微細気孔中に土壌有用菌を生存させてなるものを使用することができる。
【００１１】
前記構成において、植物育成マットは、播種層及び育成媒体層、或いは粒状セラミック層、播種層及び育成媒体層等から構成される育成積層体が被覆層頂部上面への最初の給水による播種、着床時まで被覆層により一体化されてなり、それによって植物育成マットの保管時、移動運搬時、設置作業時、さらには設置後で被覆層に給水されるまでの間に、育成積層体における粒状セラミック層や被覆層等の上層の構成層が、強風、振動、傾動等により、育成媒体層等の下層の構成層に対して変位、離脱、捲れ上がり等を生じないようにしている。育成媒体層が複数層からなる場合、前記被覆層が、前記複数層間の積層一体化にも寄与することは言うまでもない。
【００１２】
なお、前記育成積層体における構成層間の一体化を、各層間に介設された接着剤層や止め具等の接合手段より行うことも可能であり、本発明がそれらの接合手段を併用することを否定するものではないが、前記接合手段が、通根を阻害するものや被覆層頂部上面からの給水前に播種層に接水させてしまうものであってはならない。
【００１３】
前記植物育成マットに被覆層頂部上面から散水等の手段で給水されると、該被覆層は保水しつつ播種層に接水させ、それによって播種層が溶解すると共に種子が離脱させられ、且つ育成媒体層上に播種され、着床し、発芽及び発根を開始する。被覆層頂部と播種層との間に多孔質粒状セラミック層が介設されている場合は、前記給水により該多孔質粒状セラミック層も接水して吸水且つ保水し、この粒状セラミック層を介して前記播種層に接水させられる。
【００１４】
種子から発芽した芽は、保水状態の被覆層或いはそれと粒状セラミック層から表面抵抗を受けつつ被覆層や粒状セラミック層を貫通し、伸張する。前記芽は、被覆層や粒状セラミック層からの表面抵抗により、育成植物の種類によってはほふく茎等を多数分岐させるので、芝等の良好な育成には都合がよい。前記被覆層や粒状セラミック層は、その保水性により、播種、着床後の種子及び芽の乾燥を防止する。前記粒状セラミック層は、その土壌有用菌により、前記種子の播種、着床、発芽等に際して土壌有害菌の増殖を抑制すると共に有機物に対する生分解を促進する作用も奏する。
【００１５】
種子から発根した根は、育成媒体層に保持されつつその内部を肥料及び土壌有用菌の存在下に通過し、伸張する。前記土壌有用菌は、育成媒体層内において土壌有害菌の増殖を抑制すると共に有機物に対する生分解を促進する。
【００１６】
前記播種層として、例えば、水溶性シートに種子を担持させてなる公知の播種用シートを好適に使用することができる。そのような播種用シートとして、例えば、特開平０７−１８４４１７号に開示されたものを挙げることができる。
【００１７】
前記育成媒体層は、埋設、分散或いは積層等の手段で、内部に肥料及び土壌有用菌を含むものであってもよく、またその場合に、肥料及び土壌有用菌が混合されていてもよい。
【００１８】
前記のような育成媒体層の具体例として、育成媒体層が、播種層から離脱した種子を着床させると共に発根直後の根を保持しつつ通過させる上部育成層と、上部育成層の下方に配置され、内部に肥料及び土壌有用菌を含む粒状肥料層と、肥料層の下方に配置され、上部育成層を通過した根を保持しつつ肥料層からの肥料及び土壌有用菌の存在下に通根伸張させる、上部育成層より厚い下部育成層とからなるものを好適に採用することができる。
【００１９】
前記肥料層は、上部育成層と下部育成層とで挟まれ、保持された状態にある。
前記複数層は、既述のように、被覆層により積層一体化されるが、通根その他について支障がない限り、前記一体化のために各層間に接着剤層や止め具等の接合手段を介設させることを妨げない。前記接着剤層は、接水により接着性を生じるものであってもよい。なお、育成媒体層や育成積層体を構成する各層は、植物の発根及び発根後の根の伸張に伴って多数の根により厚み方向に挿通されると共に互いに強固に固定されることになる。
【００２０】
前記上部育成層及び下部育成層として、何れも根張りに対する保持力を有する繊維状シートからなるものを好適に採用することができ、またその場合に、育成媒体層を上方からの加重に対して安定に保持すると共に根の良好な伸張及び根張りを得るために、両者における繊維を、例えば前者は横方向、後者は縦方向に配向するように相違させてもよい。そのような繊維状シートの材料として、再利用原料から製造可能であり、しかも接水による有害物質の溶出や加熱による有毒ガスの発生等のないものから選択することが好ましく、例えば前記条件の範囲内にあるロックウールや繊維屑等を挙げることができる。
【００２１】
前記肥料層として、例えば、肥料成分、土壌有用菌及び保水性の生分解性繊維材を混合してなるものを好適に採用することができる。前記土壌有用菌として、例えば、硬質セラミック微粒子の微細気孔中に土壌有用菌を生存させてなるものを使用することができ、また肥料成分と土壌有用菌との混合物として、例えば、有機物に土壌有用菌及び鉱石微粉等を配合してなるものを使用することができる。また、前記保水性の生分解性繊維材は、土壌有用菌の均一な増殖を促進すると共にその保水性により発根初期の根の発育を助長させ、最終的には生分解されて肥料となるものであり、例えば、木質繊維からなるものを好適に使用することができる。
【００２２】
前記被覆層は、育成積層体の一体化や育成媒体層における複数層間の積層一体化をより確実にするために、育成積層体の上面、各側面及び下面に当接状態で被覆されることが好ましい。前記被覆層として、保水性の生分解性繊維材、例えば天然繊維のコットンを原料としたセルロース製の長繊維不織布等を好適に使用することができる。
【００２３】
前記のような植物育成マットは、例えば、平坦面上に被覆層をその下面を上にして敷き広げる工程と、敷き広げられた被覆層の上に所定大きさのフレームを載置する工程と、載置されたフレームの中の被覆層上に育成積層体の各構成層を上下逆の層順位にし且つ各下面を上にして順次積層する工程と、上下逆の層順位で積層構成された育成積層体を被覆層上に残してフレームを上方に引き抜く工程と、敷き広げられた被覆層を育成積層体の各側面及び下面に沿って包み込むと共にその終端部を育成積層体の下面に及び／又は下面上で接着させる工程とから製造することができる。
【００２４】
前記育成積層体が播種層及び育成媒体層からなる場合、フレームの中の被覆層上には播種層、育成媒体層の順に各々下面を上にして積層され、また前記育成積層体が粒状セラミック層、播種層、育成媒体層からなる場合、被覆層上には粒状セラミック層、播種層、育成媒体層の順に各々下面を上にして積層されることになる。なお、前記のように積層される育成積層体の各構成層の上下面に構造上の区別がない場合は、被覆層上への積層に際して何れの面を上にして積層しても差し支えない。
【００２５】
前記フレームとして、例えば、四角形の木枠を使用することができる。最終の接着工程における包み込み後の被覆層の終端部は少なくとも育成積層体の下面に接着されることが好ましいが、本発明の目的を達成し得る限り、被覆層の終端部間のみで接着されてもよい。なお、育成媒体層が既述のような複数層からなる場合、該育成媒体層は、上部育成層、肥料層、下部育成層の順に各々下面を上にして上方に順次積層形成されることになる。
【００２６】
前記植物育成マットは、通常、該植物育成マットを下方への排水可能に支持する支持台及び該支持台を床面上にそれとの間に間隙を保持して配置する脚部を備えた基台との植物育成セットとして使用される。前記基台の支持台として、例えば、棒材を格子状に組むと共に縦横の棒材で囲まれた各穴を排水口としたものを使用することができる。前記基台は、水が育成媒体層内に滞留して根腐れ等を起こさないように育成媒体層からの排水を容易にすると共に、支持台が床面やその上の防水塗装等と直接接触してこれらを損傷しないように支持台を床面から離隔させている。前記基台は、各側面等に適当な係合機構を設けることにより、緑化区画に応じて複数台を縦横に連結可能としてもよい。前記基台の材料として、例えば、ＰＥＴ等の再利用原料を好適に使用することができる。
【００２７】
前記植物育成マットを用いた植物育成方法は、例えば、前記基台を床面上の所定位置に設置する工程と、設置された基台上に、前記植物育成マットを配置する工程と、配置された植物育成マットの被覆層頂部上面から給水して播種層からの種子の離脱及び育成媒体層への種子の着床を開始させる工程とを含むものである。前記着床開始の工程以降は、当該植物に応じた常法の育成工程が採用されてもよい。
【００２８】
なお、育成媒体層内部又はその下方等に水を常時貯留する部屋を設けることは、使用態様によっては根の成長に有用であるが、前記滞留水は、不快害虫を発生させ、またレジオネラ菌等の病原菌を増殖させる源となることに留意すべきである。
【００２９】
【発明の実施の形態】
図１は、本発明の第一の実施例に係る植物育成マットの断面図である。
同図において、床面１上の所定位置に基台２が設置され、該基台２上に植物育成マット３が配置されている。
【００３０】
前記基台２は、支持台２１と、該支持台２１を床面１上にそれとの間に間隙を保持して配置する脚部２２とから構成される。前記支持台２１は、棒材２３を格子状に組むと共に縦横の棒材２３で囲まれた各穴を排水口２４としたものからなり、前記脚部２２は、前記棒材２３の主要交差部から垂設されている。
【００３１】
前記植物育成マット３は、育成積層体３１と、該育成積層体３１の上面及び各側面並びに下面の一部に当接状態で被覆された保水性被覆層３２とから構成される。
【００３２】
前記育成積層体３１は、植物の種子を分散状態で担持すると共に接水により溶解して該種子を離脱させる水溶性播種層３３と、播種層３３の下方に配置され、播種層３３から離脱した種子を着床させると共に着床した種子から生じた根を保持しつつ肥料及び土壌有用菌の存在下に通根伸張させる保水性育成媒体層３４とから構成される。さらに、前記育成媒体層３４は、播種層３３から離脱した種子を着床させると共に発根直後の根を保持しつつ通過させる上部育成層３５と、上部育成層３５の下方に配置され、内部に肥料及び土壌有用菌を含む粒状肥料層３６と、肥料層３６の下方に配置され、上部育成層３５を通過した根を保持しつつ肥料層３６からの肥料及び土壌有用菌の存在下に通根伸張させる、上部育成層３５より厚い下部育成層３７とから構成されている。
【００３３】
図２は、本発明の第二の実施例に係る植物育成マットの断面図である。
同図に示すものは、既述の第一の実施例において、接水により吸水且つ保水すると共に、着床した種子から生じた芽に土壌有用菌の存在下に表面抵抗を及ぼしつつ上方への貫通を許容する多孔質粒状セラミック層３８が育成積層体３１の構成層として被覆層３２頂部と播種層３３との間に介設されてなり、その他の構成は第一の実施例と同様である。
【００３４】
【発明の効果】
本発明に係る植物育成マット及び植物育成セットは、以上のように構成されるので、育成媒体として土砂を使用することなしに、また熟練した技術と多くの作業時間を必要とすることなしに、芝等の植物を容易に育成することができる。また、本発明に係る植物育成方法によれば、前記植物育成マット又は植物育成セットを用いて、前記のように芝等の植物を容易に育成することができる。
【００３５】
また、本発明に係る植物育成マットの製造方法によれば、前記植物育成マットを容易に製造することができる。
【図面の簡単な説明】
【図１】本発明の第一の実施例に係る植物育成マットの断面図である。
【図２】本発明の第二の実施例に係る植物育成マットの断面図である。
【符号の説明】
３１  育成積層体
３２  被覆層
３３  播種層
３４  育成媒体層
３５  上部育成層
３６  肥料層
３７  下部育成層
【図１】
2004194524.tif 000003
【図２】
2004194524.tif 000004